(57)【要約】【課題】ハードハンドオーバを行うための手順において、移動局において起動しているアプリケーションにおけるＤｅａｄｌｏｃｋの発生を回避する。【解決手段】本発明に係るハンドオーバ方法は、第１移動通信システムの無線アクセスネットワーク装置が、移動局に対して提供されるサービスを特定するサービス特定情報を取得して記憶する工程と、ハードハンドオーバを行うための手順において、第１移動通信システムの無線アクセスネットワーク装置が、サービス特定情報に基づいて、受信した下りリンクデータの順序入れ替え機能を具備していない第２移動通信システムの無線アクセスネットワーク装置に対して、上位ノードから受信している下りリンクデータを転送するか否かについて判定する工程とを有する。【選択図】図８
2010045691.tif 000002
【特許請求の範囲】
【請求項１】
移動局が、第１移動通信システム配下のセルから第２移動通信システム配下のセルに対してハードハンドオーバを行うハンドオーバ方法であって、
前記第１移動通信システムの無線アクセスネットワーク装置が、前記移動局に対して提供されるサービスを特定するサービス特定情報を取得して記憶する工程Ａと、
前記ハードハンドオーバを行うための手順において、前記第１移動通信システムの無線アクセスネットワーク装置が、前記サービス特定情報に基づいて、受信した下りリンクデータの順序入れ替え機能を具備していない前記第２移動通信システムの無線アクセスネットワーク装置に対して、上位ノードから受信している下りリンクデータを転送するか否かについて判定する工程Ｂとを有することを特徴とするハンドオーバ方法。
【請求項２】
前記工程Ｂにおいて、前記第１移動通信システムの無線アクセスネットワーク装置は、前記サービス特定情報によって特定されるサービスがＴＣＰを用いたサービスである場合、前記第２移動通信システムの無線アクセスネットワーク装置に対して前記下りリンクデータを転送すると判定し、
前記工程Ｂにおいて、前記第１移動通信システムの無線アクセスネットワーク装置は、前記サービス特定情報によって特定されるサービスがＵＤＰを用いたサービスである場合、前記第２移動通信システムの無線アクセスネットワーク装置に対して前記下りリンクデータを転送しないと判定することを特徴とする請求項１に記載のハンドオーバ方法。
【請求項３】
前記工程Ａにおいて、前記第１移動通信システムの無線アクセスネットワーク装置は、前記移動局のアタッチ手順において該第１移動通信システムの交換局から送信されるアタッチ受付応答に含まれる前記サービス特定情報を取得して記憶することを特徴とする請求項１に記載のハンドオーバ方法。
【請求項４】
前記工程Ａにおいて、前記第１移動通信システムの無線アクセスネットワーク装置は、前記移動局がアイドル状態からアクティブ状態に遷移する際の手順において該第１移動通信システムの交換局から送信される初期コンテキスト設定要求に含まれる前記サービス特定情報を取得して記憶することを特徴とする請求項１に記載のハンドオーバ方法。
【請求項５】
前記工程Ａにおいて、前記第１移動通信システムの無線アクセスネットワーク装置は、前記移動局のベアラ設定手順において該第１移動通信システムの交換局から送信されるベアラ設定要求に含まれる前記サービス特定情報を取得して記憶することを特徴とする請求項１に記載のハンドオーバ方法。
【請求項６】
前記上位ノードが、前記サービス特定情報に対して、サービスタイプ又はユーザ契約識別をマッピングする工程を更に有し、
前記工程Ｂにおいて、前記第１移動通信システムの無線アクセスネットワーク装置は、前記サービス特定情報にマッピングされている前記サービスタイプ又は前記ユーザ契約識別に基づいて、前記判定を行うことを特徴とする請求項１に記載のハンドオーバ方法。
【請求項７】
移動局が、第１移動通信システム配下のセルから第２移動通信システム配下のセルに対してハードハンドオーバを行う移動通信システムで用いられる第１移動通信システムの無線アクセスネットワーク装置であって、
前記移動局に対して提供されるサービスを特定するサービス特定情報を取得して記憶するように構成されている取得部と、
前記ハードハンドオーバを行うための手順において、前記サービス特定情報に基づいて、受信した下りリンクデータの順序入れ替え機能を具備していない前記第２移動通信システムの無線アクセスネットワーク装置に対して、上位ノードから受信している下りリンクデータを転送するか否かについて判定するように構成されている判定部とを有することを特徴とする無線アクセスネットワーク装置。
【請求項８】
前記判定部は、前記サービス特定情報によって特定されるサービスがＴＣＰを用いたサービスである場合、前記第２移動通信システムの無線アクセスネットワーク装置に対して前記下りリンクデータを転送すると判定するように構成されており、
前記判定部は、前記サービス特定情報によって特定されるサービスがＵＤＰを用いたサービスである場合、前記第２移動通信システムの無線アクセスネットワーク装置に対して前記下りリンクデータを転送しないと判定するように構成されていることを特徴とする請求項７に記載の無線アクセスネットワーク装置。
【請求項９】
前記取得部は、前記移動局のアタッチ手順において該第１移動通信システムの交換局から送信されるアタッチ受付応答に含まれる前記サービス特定情報を取得して記憶するように構成されていることを特徴とする請求項７に記載の無線アクセスネットワーク装置。
【請求項１０】
前記取得部は、前記移動局がアイドル状態からアクティブ状態に遷移する際の手順において該第１移動通信システムの交換局から送信される初期コンテキスト設定要求に含まれる前記サービス特定情報を取得して記憶するように構成されていることを特徴とする請求項７に記載の無線アクセスネットワーク装置。
【請求項１１】
前記取得部は、前記移動局のベアラ設定手順において該第１移動通信システムの交換局から送信されるベアラ設定要求に含まれる前記サービス特定情報を取得して記憶するように構成されていることを特徴とする請求項７に記載の無線アクセスネットワーク装置。
【発明の詳細な説明】
【技術分野】
【０００１】
本発明は、移動局が第１移動通信システム配下のセルから第２移動通信システム配下のセルに対してハードハンドオーバを行うハンドオーバ方法及び無線アクセスネットワーク装置に関する。
【背景技術】
【０００２】
３ＧＰＰに規定されている移動通信システムでは、無線制御装置ＲＮＣは、移動局ＵＥのＥ-ＵＴＲＡＮ方式の移動通信システム配下のセルからＵＴＲＡＮ方式の移動通信システム配下のセルに対するハンドオーバ処理において、「Ｒｅ-ｏｒｄｅｒｉｎｇ機能」をサポートしていない。
【０００３】
ここで、「Ｒｅ-ｏｒｄｅｒｉｎｇ機能」は、受信したデータを正しい順序に入れ替えるための機能である。例えば、「Ｒｅ-ｏｒｄｅｒｉｎｇ機能」は、異なるネットワーク装置から、同一の「Ｔｕｎｎｅｌ  Ｅｎｄ  Ｐｏｉｎｔ」でデータを受信し、かかる「Ｔｕｎｎｅｌ  Ｅｎｄ  Ｐｏｉｎｔ」用のバッファに蓄積されているデータについて、各ネットワーク装置から送信されたデータを区別し、正しい順序で転送するように構成されている。
【非特許文献１】３ＧＰＰ  ＴＳ２３．２０３
【非特許文献２】３ＧＰＰ  ＴＳ３６．３００
【非特許文献３】３ＧＰＰ  ＴＳ３６．４１３
【発明の開示】
【発明が解決しようとする課題】
【０００４】
しかしながら、上述の移動通信システムでは、移動局ＵＥは、ハードハンドオーバを行うための手順において、ＴＣＰを用いたサービスを提供する第１アプリケーションを起動している場合、ウィンドウサイズ分のデータの抜けが発生すると、かかる第１アプリケーションにおいてＤｅａｄｌｏｃｋが生じてしまい、ＵＤＰを用いたサービスを提供する第２アプリケーションを起動している場合、受信したデータのシーケンス番号の逆転現象が発生すると、かかる第２アプリケーションにおいてＤｅａｄｌｏｃｋが生じてしまうという問題点があった。
【０００５】
そこで、本発明は、上述の課題に鑑みてなされたものであり、ハードハンドオーバを行うための手順において、移動局において起動しているアプリケーションにおけるＤｅａｄｌｏｃｋの発生を回避することができるハンドオーバ方法及び無線アクセスネットワーク装置を提供することを目的とする。
【課題を解決するための手段】
【０００６】
本発明の第１の特徴は、移動局が、第１移動通信システム配下のセルから第２移動通信システム配下のセルに対してハードハンドオーバを行うハンドオーバ方法であって、前記第１移動通信システムの無線アクセスネットワーク装置が、前記移動局に対して提供されるサービスを特定するサービス特定情報を取得して記憶する工程Ａと、前記ハードハンドオーバを行うための手順において、前記第１移動通信システムの無線アクセスネットワーク装置が、前記サービス特定情報に基づいて、受信した下りリンクデータの順序入れ替え機能を具備していない前記第２移動通信システムの無線アクセスネットワーク装置に対して、上位ノードから受信している下りリンクデータを転送するか否かについて判定する工程Ｂとを有することを要旨とする。
【０００７】
本発明の第２の特徴は、移動局が、第１移動通信システム配下のセルから第２移動通信システム配下のセルに対してハードハンドオーバを行う移動通信システムで用いられる第１移動通信システムの無線アクセスネットワーク装置であって、前記移動局に対して提供されるサービスを特定するサービス特定情報を取得して記憶するように構成されている取得部と、前記ハードハンドオーバを行うための手順において、前記サービス特定情報に基づいて、受信した下りリンクデータの順序入れ替え機能を具備していない前記第２移動通信システムの無線アクセスネットワーク装置に対して、上位ノードから受信している下りリンクデータを転送するか否かについて判定するように構成されている判定部とを有することを要旨とする。
【発明の効果】
【０００８】
以上説明したように、本発明によれば、ハードハンドオーバを行うための手順において、移動局において起動しているアプリケーションにおけるＤｅａｄｌｏｃｋの発生を回避することができるハンドオーバ方法及び無線アクセスネットワーク装置を提供することができる。
【発明を実施するための最良の形態】
【０００９】
（本発明の第１の実施形態に係る移動通信システムの構成）
図１及び図２を参照して、本発明の第１の実施形態に係る移動通信システムの構成について説明する。
【００１０】
図１に示すように、本実施形態に係る移動通信システムでは、ＬＴＥ（Ｌｏｎｇ  Ｔｅｒｍ  Ｅｖｏｌｕｔｉｏｎ）方式の移動通信システム（第１移動通信システム）及びＷＣＤＭＡ方式の移動通信システム（第２移動通信システム）が混在している。
【００１１】
なお、本実施形態に係る移動通信システムは、ゲートウェイ装置ＰＤＮ-ＧＷと、ゲートウェイ装置Ｓ-ＧＷと、ＬＴＥ方式の交換局ＭＭＥと、ＬＴＥ方式の無線基地局ｅＮＢ（第１移動通信システムの無線アクセスネットワーク装置）と、ＷＣＤＭＡ方式のパケット交換局ＳＧＳＮと、ＷＣＤＭＡ方式の無線制御装置ＲＮＣ（第２移動通信システムの無線アクセスネットワーク装置）と、図示していないＷＣＤＭＡ方式の無線基地局ＮｏｄｅＢ（第２移動通信システムの無線アクセスネットワーク装置）とを具備している。
【００１２】
移動局ＵＥが、ＬＴＥ方式の移動通システム配下のセルからＷＣＤＭＡ方式の移動通信システム配下のセルに対して異ＲＡＴ間ハンドオーバ（ハードハンドオーバ）を行う場合で、かつ、ＬＴＥ方式の無線基地局ｅＮＢが、ＷＣＤＭＡ方式の無線制御装置ＲＮＣに対してデータの転送を行う場合には、ＷＣＤＭＡ方式の無線制御装置ＲＮＣにおいて、ゲートウェイ装置ＰＤＮ-ＧＷからルートＡを経由して到達する下りリンクデータＡと、ゲートウェイ装置ＰＤＮ-ＧＷからルートＢを経由して到達する下りリンクデータＢとが混在することになる。
【００１３】
ここで、下りリンクデータＡ及び下りリンクデータＢは、ＷＣＤＭＡ方式の交換局ＳＧＳＮとＷＣＤＭＡ方式の無線制御装置ＲＮＣとの間で確立されているＧＴＰトンネルを通して、ＷＣＤＭＡ方式の無線制御装置ＲＮＣにおいて、同一のＧＴＰ-Ｕ  ＴＥ-ＩＤで受信されるものとする。
【００１４】
なお、ＷＣＤＭＡ方式の無線制御装置ＲＮＣは、上述のＲｅ-ｏｒｄｅｒｉｎｇ機能をサポートしていないものとする。
【００１５】
図２に示すように、本実施形態に係る無線基地局ｅＮＢは、異ＲＡＴ間ハンドオーバ処理部１１と、判定部１２と、取得部１３とを具備している。
【００１６】
異ＲＡＴ間ハンドオーバ処理部１１は、後述する図６及び図７に示す異ＲＡＴ間ハンドオーバを行うための手順（以下、異ＲＡＴ間ハンドオーバ手順）において必要な処理を行うように構成されている。
【００１７】
判定部１２は、異ＲＡＴ間ハンドオーバ手順において、サービス特定情報に基づいて、Ｒｅ-ｏｒｄｅｒｉｎｇ機能を具備していないＷＣＤＭＡ方式の移動通信システムの無線制御装置ＲＮＣに対して、ゲートウェイ装置ＰＤＮ-ＧＷ（上位ノード）から受信している下りリンクデータを転送するか否かについて判定するように構成されている。
【００１８】
ここで、サービス特定情報は、各移動局ＵＥにおいて起動しているアプリケーションの品質要求指標を特定するものであり、かかるアプリケーションのデータを運ぶベアラに対して設定されている。また、サービス特定情報は、３ＧＰＰにおいて規定されている「ＱＣＩ（ＱｏＳ  Ｃｌａｓｓ  Ｉｎｄｅｎｔｉｆｉｅｒ）」や「ＡＲＰ（Ａｌｌｏｃａｔｉｏｎ  ａｎｄ  Ｒｅｔｅｎｔｉｏｎ  Ｐｒｉｏｒｉｔｙ）」等によって構成されていてもよい。
【００１９】
具体的には、判定部１２は、サービス特定情報によって特定されるサービスがＴＣＰを用いたサービスである場合、ＷＣＤＭＡ方式の移動通信システムの無線制御装置ＲＮＣに対して下りリンクデータを転送すると判定するように構成されており、判定部１２は、サービス特定情報によって特定されるサービスがＵＤＰを用いたサービスである場合、ＷＣＤＭＡ方式の移動通信システムの無線制御装置ＲＮＣに対して下りリンクデータを転送しないと判定するように構成されていてもよい。
【００２０】
例えば、コアネットワークで設定される「ＱＣＩ＝＃１０」が、「Ｎｏｎ-ＧＢＲ」、「Ｐａｃｋｅｔ  Ｅｒｒｏｒ  Ｒａｔｅ＝＃１」、「Ｐａｃｋｅｔ  Ｄｅｌａｙ  Ｂｕｄｇｅｔ＝ｘｘ（ｍｓ）」、「ＴＣＰを用いたサービス」という意味の品質要求指標である場合、判定部１２は、「ＱＣＩ＝＃１０」によって特定されるサービスに係る下りリンクデータについては、「無線Ｓｃｈｅｄｕｌｅｒ設定＝＃１」及び「ＲＬＣ  ＡＭ」が適用されているものとして、ＷＣＤＭＡ方式の移動通信システムの無線制御装置ＲＮＣに対して転送すると判定してもよい。
【００２１】
また、コアネットワークで設定される「ＱＣＩ＝＃２０」が、「Ｎｏｎ-ＧＢＲ」、「Ｐａｃｋｅｔ  Ｅｒｒｏｒ  Ｒａｔｅ＝＃１」、「Ｐａｃｋｅｔ  Ｄｅｌａｙ  Ｂｕｄｇｅｔ＝ｘｘ（ｍｓ）」、「ＵＤＰを用いたサービス」という意味の品質要求指標である場合、判断部１２は、「ＱＣＩ＝＃２０」によって特定されるサービスに係る下りリンクデータについては、「無線Ｓｃｈｅｄｕｌｅｒ設定＝＃１」及び「ＲＬＣ  ＡＭ」が適用されているものとして設定したが、ＷＣＤＭＡ方式の移動通信システムの無線制御装置ＲＮＣに対して転送しないと判定してもよい。
【００２２】
すなわち、同じ品質要求指標を持つ２つの異なるベアラに対して、異なるＱＣＩを設定することによって、異なるデータ転送として取り扱うことができる。
【００２３】
また、コアネットワークにおいて、「ＡＰＲ＝＃ａ」が、ユーザ契約識別＃Ｂであると設定された場合、判定部１２は、「ＱＣＩ＝＃１」である場合には、「ＲＬＣ  ＡＭ」が適用されていると判定するが、「ＡＲＰ＝＃ａ」によって特定されるサービスに係る下りリンクデータについては、ＷＣＤＭＡ方式の移動通信システムの無線制御装置ＲＮＣに対して転送しないと判定してもよい。
【００２４】
また、判定部１２は、「ＡＲＰ＝＃ａ」によって特定されるサービスに係る下りリンクデータについては、「ＱＣＩ」の値に関わらず、ＷＣＤＭＡ方式の移動通信システムの無線制御装置ＲＮＣに対して転送しなと判定してもよい。
【００２５】
取得部１３は、移動局ＵＥに対して提供されるサービスを特定するサービス特定情報を取得して記憶するように構成されている。
【００２６】
例えば、取得部１３は、移動局ＵＥのアタッチ手順においてＬＴＥ方式の移動通システムの交換局ＭＭＥから送信されるアタッチ受付応答（Ａｔｔａｃｈ  Ａｃｃｅｐｔ）に含まれるサービス特定情報を取得して記憶するように構成されていてもよい。
【００２７】
また取得部１３は、移動局ＵＥがアイドル状態からアクティブ状態に遷移する際の手順においてＬＴＥ方式の移動通システムの交換局ＭＭＥから送信される初期コンテキスト設定要求（Ｓ１-ＡＰ：Ｉｎｉｔｉａｌ  Ｃｏｎｔｅｘｔ  Ｓｅｔｕｐ  Ｒｅｑｕｅｓｔ）に含まれるサービス特定情報を取得して記憶するように構成されていてもよい。
【００２８】
さらに、取得部１３は、移動局ＵＥのベアラ設定手順においてＬＴＥ方式の移動通システムの交換局ＭＭＥから送信されるベアラ設定要求（Ｂｅａｒｅｒ  Ｓｅｔｕｐ  Ｒｅｑｕｅｓｔ）に含まれるサービス特定情報を取得して記憶するように構成されていてもよい。
【００２９】
（本発明の第１の実施形態に係る移動通信システムの動作）
図３乃至図９を参照して、本発明の第１の実施形態に係る移動通信システムの動作について説明する。
【００３０】
第１に、図３を参照して、本実施形態に係る移動通信システムにおいて、ＬＴＥ方式の無線基地局ｅＮＢが、移動局ＵＥのアタッチ手順において、当該移動局ＵＥに関するサービス特定情報を取得して記憶する動作について説明する。
【００３１】
図３に、本実施形態に係る移動通信システムにおける移動局ＵＥのアタッチ手順を示す。図３におけるステップ１８において、ＬＴＥ方式の交換局ＭＭＥが、ＬＴＥ方式の無線基地局ｅＮＢに対して、アタッチ受付応答（Ａｔｔａｃｈ  Ａｃｃｅｐｔ）を送信し、図３におけるステップ１８Ａにおいて、ＬＴＥ方式の無線基地局ｅＮＢが、受信したアタッチ受付応答に含まれているサービス特定情報（ＱＣＩやＡＲＰ）を取得して記憶する。
【００３２】
第２に、図４を参照して、本実施形態に係る移動通信システムにおいて、ＬＴＥ方式の無線基地局ｅＮＢが、移動局ＵＥがアイドル情報からアクティブ状態に遷移する際の手順において、当該移動局ＵＥに関するサービス特定情報を取得して記憶する動作について説明する。
【００３３】
図４に、本実施形態に係る移動通信システムにおいて、移動局ＵＥがアイドル情報からアクティブ状態に遷移する際の手順を示す。図４におけるステップ４において、ＬＴＥ方式の交換局ＭＭＥが、ＬＴＥ方式の無線基地局ｅＮＢに対して、初期コンテキスト設定要求（Ｓ１-ＡＰ：Ｉｎｉｔｉａｌ  Ｃｏｎｔｅｘｔ  Ｓｅｔｕｐ  Ｒｅｑｕｅｓｔ）を送信し、図４におけるステップ４Ａにおいて、ＬＴＥ方式の無線基地局ｅＮＢが、受信した初期コンテキスト設定要求に含まれているサービス特定情報（ＱＣＩやＡＲＰ）を取得して記憶する。
【００３４】
第３に、図５を参照して、本実施形態に係る移動通信システムにおいて、ＬＴＥ方式の無線基地局ｅＮＢが、移動局ＵＥのベアラ設定手順において、当該移動局ＵＥに関するサービス特定情報を取得して記憶する動作について説明する。
【００３５】
図５に、本実施形態に係る移動通信システムにおける移動局ＵＥのベアラ設定手順を示す。図５におけるステップ４において、ＬＴＥ方式の交換局ＭＭＥが、ＬＴＥ方式の無線基地局ｅＮＢに対して、ベアラ設定要求（Ｂｅａｒｅｒ  Ｓｅｔｕｐ  Ｒｅｑｕｅｓｔ）を送信し、図５におけるステップ４Ａにおいて、ＬＴＥ方式の無線基地局ｅＮＢが、受信したベアラ設定要求に含まれているサービス特定情報（ＱＣＩやＡＲＰ）を取得して記憶する。
【００３６】
第４に、図５を参照して、本実施形態に係る移動通信システムにおける移動局ＵＥの異ＲＡＴ間ハンドオーバ手順の準備ステージのシーケンスを示す。
【００３７】
図６におけるステップ１Ａにおいて、ＬＴＥ方式の無線基地局ｅＮＢは、記憶しているサービス特定情報に基づいて、異ＲＡＴハンドオーバ手順において各ベアラについて下りリンクデータの転送の要否を判断し、かかる判断結果を示すデータ転送要否情報をハンドオーバ先無線制御装置ＲＮＣに通知するために、データ転送要否情報を含むハンドオーバ要求信号（Ｈａｎｄｏｖｅｒ  Ｒｅｑｕｉｒｅｄ）を、ハンドオーバ元交換局（ＬＴＥ方式の交換局）ＭＭＥに対して送信する。なお、データ転送要否情報は、ハンドオーバ要求信号（Ｈａｎｄｏｖｅｒ  Ｒｅｑｕｉｒｅｄ）とは別に送信されてもよい。
【００３８】
かかる判定動作について、図８を参照して説明する。図８に示すように、ステップＳ１００において、異ＲＡＴ間ハンドオーバ手順が開始されると、ステップＳ１０１において、ＬＴＥ方式の無線基地局ｅＮＢは、サービス特定情報によって特定されるサービスが、ＴＣＰを用いたサービスであるか、或いは、ＵＤＰを用いたサービスであるかについて判定する。
【００３９】
ＴＣＰを用いたサービスであると判定された場合、ステップＳ１０２において、ＬＴＥ方式の無線基地局ｅＮＢは、ゲートウェイ装置ＰＤＮ-ＧＷから送信されている下りリンクデータ（Ｄｏｗｎｌｉｎｋ  Ｕｓｅｒ  Ｐｌａｎｅ  ＰＤＵ）を、ハンドオーバ先無線制御装置（ＷＣＤＭＡ方式の無線制御装置）ＲＮＣに対して転送すると判定する。
【００４０】
一方、ＵＤＰを用いたサービスであると判定された場合、ステップＳ１０３において、ＬＴＥ方式の無線基地局ｅＮＢは、ゲートウェイ装置ＰＤＮ-ＧＷから送信されている下りリンクデータ（Ｄｏｗｎｌｉｎｋ  Ｕｓｅｒ  Ｐｌａｎｅ  ＰＤＵ）を、ハンドオーバ先無線制御装置（ＷＣＤＭＡ方式の無線制御装置）ＲＮＣに対して転送しないと判定する。
【００４１】
ハンドオーバ先無線制御装置ＲＮＣは、自身のリソース使用状況によって、ハンドオーバ処理の対象となる各ベアラについて、下りリンクデータを転送する否かについて決定する。
【００４２】
下りリンクデータを転送すると決定された各ベアラのためのデータ転送用のＧＴＰ−Ｕ  ＴＥＩＤを、ハンドオーバ指示信号（Ｈａｎｄｏｖｅｒ  Ｃｏｍｍａｎｄ（図７におけるステップ１））によって、ＬＴＥ方式の無線基地局ｅＮＢに通知する。
【００４３】
第５に、図７を参照して、本実施形態に係る移動通信システムにおける移動局ＵＥの異ＲＡＴ間ハンドオーバ手順の実行ステージのシーケンスを示す。
【００４４】
図７におけるステップＡにおいて、ＬＴＥ方式の無線基地局ｅＮＢは、上述したハンドオーバ先無線制御装置ＲＮＣからの各ベアラについての下りリンクデータを転送するか否かについての確認結果を用いて、ゲートウェイ装置ＰＤＮ-ＧＷから送信されている下りリンクデータ（Ｄｏｗｎｌｉｎｋ  Ｕｓｅｒ  Ｐｌａｎｅ  ＰＤＵ）を、ハンドオーバ先無線制御装置（ＷＣＤＭＡ方式の無線制御装置）ＲＮＣに対して転送する。
【００４５】
（本発明の第１の実施形態に係る移動通信システムの作用・効果）
本発明の第１の実施形態に係る移動通信システムによれば、異ＲＡＴハンドオーバ手順において、ハンドオーバ元無線アクセスネットワーク装置であるＬＴＥ方式の無線基地局ｅＮＢが、各移動局ＵＥにおいて起動されているアプリケーションのタイプ（ＴＣＰを用いたサービス或いはＵＤＰを用いたサービス）に応じて、ゲートウェイ装置ＰＤＮ-ＧＷから送信されている下りリンクデータ（Ｄｏｗｎｌｉｎｋ  Ｕｓｅｒ  Ｐｌａｎｅ  ＰＤＵ）を、ハンドオーバ先無線制御装置（ＷＣＤＭＡ方式の無線制御装置）ＲＮＣに対して転送するか否かについて判定するため、各移動局ＵＥにおいて起動しているアプリケーションにおけるＤｅａｄｌｏｃｋの発生を回避することができる。
【００４６】
以上に述べた本実施形態の特徴は、以下のように表現されていてもよい。
【００４７】
本実施形態の第１の特徴は、移動局ＵＥが、ＬＴＥ方式の移動通システム（第１移動通信システム）配下のセルからＷＣＤＭＡ方式の移動通信システム（第２移動通信システム）配下のセルに対して異ＲＡＴ間ハンドオーバ（ハードハンドオーバ）を行うハンドオーバ方法であって、ＬＴＥ方式の移動通システムの無線基地局ｅＮＢ（第１移動通信システムの無線アクセスネットワーク装置）が、移動局ＵＥに対して提供されるサービスを特定するサービス特定情報（ＱＣＩ及びＡＲＰ）を取得して記憶する工程Ａと、異ＲＡＴ間ハンドオーバを行うための手順において、ＬＴＥ方式の移動通システムの無線基地局ｅＮＢが、サービス特定情報に基づいて、受信した下りリンクデータの順序入れ替え機能（Ｒｅ-ｏｒｄｅｒｉｎｇ機能）を具備していないＷＣＤＭＡ方式の移動通信システムの無線制御装置ＲＮＣ（第２移動通信システムの無線アクセスネットワーク装置）に対して、上位ノード（ゲートウェイ装置ＰＤＮ-ＧＷ）から受信している下りリンクデータを転送するか否かについて判定する工程Ｂとを有することを要旨とする。
【００４８】
本実施形態の第１の特徴において、工程Ｂにおいて、ＬＴＥ方式の移動通システムの無線基地局ｅＮＢは、サービス特定情報によって特定されるサービスがＴＣＰを用いたサービスである場合、ＷＣＤＭＡ方式の移動通信システムの無線制御装置ＲＮＣに対して下りリンクデータを転送すると判定し、工程Ｂにおいて、ＬＴＥ方式の移動通システムの無線基地局ｅＮＢは、サービス特定情報によって特定されるサービスがＵＤＰを用いたサービスである場合、ＷＣＤＭＡ方式の移動通信システムの無線制御装置ＲＮＣに対して下りリンクデータを転送しないと判定してもよい。
【００４９】
本実施形態の第１の特徴において、工程Ａにおいて、ＬＴＥ方式の移動通システムの無線基地局ｅＮＢは、移動局ＵＥのアタッチ手順においてＬＴＥ方式の移動通システムの交換局ＭＭＥから送信されるアタッチ受付応答（Ａｔｔａｃｈ  Ａｃｃｅｐｔ）に含まれるサービス特定情報を取得して記憶してもよい。
【００５０】
本実施形態の第１の特徴において、工程Ａにおいて、ＬＴＥ方式の移動通システムの無線基地局ｅＮＢは、移動局ＵＥがアイドル状態からアクティブ状態に遷移する際の手順においてＬＴＥ方式の移動通システムの交換局ＭＭＥから送信される初期コンテキスト設定要求（Ｓ１-ＡＰ：Ｉｎｉｔｉａｌ  Ｃｏｎｔｅｘｔ  Ｓｅｔｕｐ  Ｒｅｑｕｅｓｔ）に含まれるサービス特定情報を取得して記憶してもよい。
【００５１】
本実施形態の第１の特徴において、工程Ａにおいて、ＬＴＥ方式の移動通システムの無線基地局ｅＮＢは、移動局ＵＥのベアラ設定手順においてＬＴＥ方式の移動通システムの交換局ＭＭＥから送信されるベアラ設定要求（Ｂｅａｒｅｒ  Ｓｅｔｕｐ  Ｒｅｑｕｅｓｔ）に含まれるサービス特定情報を取得して記憶してもよい。
【００５２】
本実施形態の第１の特徴において、上位ノード（コアネットワーク装置）が、サービス特定情報に対して、サービスタイプ又はユーザ契約識別をマッピングする工程を更に有し、工程Ｂにおいて、ＬＴＥ方式の移動通システムの無線基地局ｅＮＢは、サービス特定情報にマッピングされているサービスタイプ又はユーザ契約識別に基づいて、上述の判定を行ってもよい。
【００５３】
本実施形態の第２の特徴は、移動局ＵＥが、ＬＴＥ方式の移動通システム配下のセルからＷＣＤＭＡ方式の移動通信システム配下のセルに対して異ＲＡＴ間ハンドオーバを行う移動通信システムで用いられるＬＴＥ方式の移動通システムの無線基地局ｅＮＢであって、移動局ＵＥに対して提供されるサービスを特定するサービス特定情報を取得して記憶するように構成されている取得部１３と、異ＲＡＴ間ハンドオーバを行うための手順において、サービス特定情報に基づいて、受信した下りリンクデータの順序入れ替え機能を具備していないＷＣＤＭＡ方式の移動通信システムの無線制御装置ＲＮＣに対して、上位ノードから受信している下りリンクデータを転送するか否かについて判定するように構成されている判定部１２とを有することを要旨とする。
【００５４】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００５５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００５７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００５８】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムにおける移動局のアタッチ手順を示すシーケンス図である。
【図４】本発明の第１の実施形態に係る移動通信システムにおいて、移動局が、アイドル状態からアクティブ状態に遷移する手順を示すシーケンス図である。
【図５】本発明の第１の実施形態に係る移動通信システムにおける移動局のベアラ設定手順を示すシーケンス図である。
【図６】本発明の第１の実施形態に係る移動通信システムにおける移動局の異ＲＡＴ間ハンドオーバ手順（準備フェーズ）を示すシーケンス図である。
【図７】本発明の第１の実施形態に係る移動通信システムにおける移動局の異ＲＡＴ間ハンドオーバ手順（実行フェーズ）を示すシーケンス図である。
【図８】本発明の第１の実施形態に係る無線基地局の動作を示すフローチャートである。
【符号の説明】
【００５９】
ｅＮＢ…無線基地局
１１…異ＲＡＴ間ハンドオーバ処理部
１２…判定部
１３…取得部
【図１】
2010045691.tif 000003
【図２】
2010045691.tif 000004
【図３】
2010045691.tif 000005
【図４】
2010045691.tif 000006
【図５】
2010045691.tif 000007
【図６】
2010045691.tif 000008
【図７】
2010045691.tif 000009
【図８】
2010045691.tif 000010
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
移動局が、第１移動通信システム配下のセルから第２移動通信システム配下のセルに対してハードハンドオーバを行うハンドオーバ方法であって、
前記第１移動通信システムの無線アクセスネットワーク装置が、前記移動局に対して提供されるサービスを特定するサービス特定情報を取得して記憶する工程Ａと、
前記ハードハンドオーバを行うための手順において、前記第１移動通信システムの無線アクセスネットワーク装置が、前記サービス特定情報に基づいて、受信した下りリンクデータの順序入れ替え機能を具備していない前記第２移動通信システムの無線アクセスネットワーク装置に対して、上位ノードから受信している下りリンクデータを転送するか否かについて判定する工程Ｂとを有することを特徴とするハンドオーバ方法。
【請求項２】
前記工程Ｂにおいて、前記第１移動通信システムの無線アクセスネットワーク装置は、前記サービス特定情報に基づいて、前記下りリンクデータに「ＲＬＣ  ＡＭ」が適用されていると判断した場合には、該下りリンクデータを前記第２移動通信システムの無線アクセスネットワーク装置に対して転送することを特徴とする請求項１に記載のハンドオーバ方法。
【請求項３】
前記工程Ａにおいて、前記第１移動通信システムの無線アクセスネットワーク装置は、前記移動局のアタッチ手順において該第１移動通信システムの交換局から送信されるアタッチ受付応答に含まれる前記サービス特定情報を取得して記憶することを特徴とする請求項１に記載のハンドオーバ方法。
【請求項４】
前記工程Ａにおいて、前記第１移動通信システムの無線アクセスネットワーク装置は、前記移動局がアイドル状態からアクティブ状態に遷移する際の手順において該第１移動通信システムの交換局から送信される初期コンテキスト設定要求に含まれる前記サービス特定情報を取得して記憶することを特徴とする請求項１に記載のハンドオーバ方法。
【請求項５】
前記工程Ａにおいて、前記第１移動通信システムの無線アクセスネットワーク装置は、前記移動局のベアラ設定手順において該第１移動通信システムの交換局から送信されるベアラ設定要求に含まれる前記サービス特定情報を取得して記憶することを特徴とする請求項１に記載のハンドオーバ方法。
【請求項６】
前記上位ノードが、前記サービス特定情報に対して、サービスタイプ又はユーザ契約識別をマッピングする工程を更に有し、
前記工程Ｂにおいて、前記第１移動通信システムの無線アクセスネットワーク装置は、前記サービス特定情報にマッピングされている前記サービスタイプ又は前記ユーザ契約識別に基づいて、前記判定を行うことを特徴とする請求項１に記載のハンドオーバ方法。
【請求項７】
前記サービス特定情報として、ＱＣＩ（ＱｏＳ  Ｃｌａｓｓ  Ｉｄｅｎｔｉｆｉｅｒ）を用いることを特徴とする請求項１乃至６のいずれか一項に記載のハンドオーバ方法。
【請求項８】
移動局が、第１移動通信システム配下のセルから第２移動通信システム配下のセルに対してハードハンドオーバを行う移動通信システムで用いられる第１移動通信システムの無線アクセスネットワーク装置であって、
前記移動局に対して提供されるサービスを特定するサービス特定情報を取得して記憶するように構成されている取得部と、
前記ハードハンドオーバを行うための手順において、前記サービス特定情報に基づいて、受信した下りリンクデータの順序入れ替え機能を具備していない前記第２移動通信システムの無線アクセスネットワーク装置に対して、上位ノードから受信している下りリンクデータを転送するか否かについて判定するように構成されている判定部とを有することを特徴とする無線アクセスネットワーク装置。
【請求項９】
前記判定部は、前記サービス特定情報に基づいて、前記下りリンクデータに「ＲＬＣ  ＡＭ」が適用されていると判定した場合には、該下りリンクデータを前記第２移動通信システムの無線アクセスネットワーク装置に対して転送すると判定するように構成されていることを特徴とする請求項８に記載の無線アクセスネットワーク装置。
【請求項１０】
前記取得部は、前記移動局のアタッチ手順において該第１移動通信システムの交換局から送信されるアタッチ受付応答に含まれる前記サービス特定情報を取得して記憶するように構成されていることを特徴とする請求項８に記載の無線アクセスネットワーク装置。
【請求項１１】
前記取得部は、前記移動局がアイドル状態からアクティブ状態に遷移する際の手順において該第１移動通信システムの交換局から送信される初期コンテキスト設定要求に含まれる前記サービス特定情報を取得して記憶するように構成されていることを特徴とする請求項８に記載の無線アクセスネットワーク装置。
【請求項１２】
前記取得部は、前記移動局のベアラ設定手順において該第１移動通信システムの交換局から送信されるベアラ設定要求に含まれる前記サービス特定情報を取得して記憶するように構成されていることを特徴とする請求項８に記載の無線アクセスネットワーク装置。
【請求項１３】
前記サービス特定情報として、ＱＣＩ（ＱｏＳ  Ｃｌａｓｓ  Ｉｄｅｎｔｉｆｉｅｒ）が用いられるように構成されていることを特徴とする請求項８乃至１２のいずれか一項に記載の無線アクセスネットワーク装置。
【手続補正２】
【補正対象書類名】明細書
【補正対象項目名】００１２
【補正方法】変更
【補正の内容】
【００１２】
移動局ＵＥが、ＬＴＥ方式の移動通信システム配下のセルからＷＣＤＭＡ方式の移動通信システム配下のセルに対して異ＲＡＴ間ハンドオーバ（ハードハンドオーバ）を行う場合で、かつ、ＬＴＥ方式の無線基地局ｅＮＢが、ＷＣＤＭＡ方式の無線制御装置ＲＮＣに対してデータの転送を行う場合には、ＷＣＤＭＡ方式の無線制御装置ＲＮＣにおいて、ゲートウェイ装置ＰＤＮ-ＧＷからルートＡを経由して到達する下りリンクデータＡと、ゲートウェイ装置ＰＤＮ-ＧＷからルートＢを経由して到達する下りリンクデータＢとが混在することになる。
【手続補正３】
【補正対象書類名】明細書
【補正対象項目名】００２７
【補正方法】変更
【補正の内容】
【００２７】
また、取得部１３は、移動局ＵＥがアイドル状態からアクティブ状態に遷移する際の手順においてＬＴＥ方式の移動通信システムの交換局ＭＭＥから送信される初期コンテキスト設定要求（Ｓ１-ＡＰ：Ｉｎｉｔｉａｌ  Ｃｏｎｔｅｘｔ  Ｓｅｔｕｐ  Ｒｅｑｕｅｓｔ）に含まれるサービス特定情報を取得して記憶するように構成されていてもよい。
【手続補正４】
【補正対象書類名】明細書
【補正対象項目名】００３６
【補正方法】変更
【補正の内容】
【００３６】
第４に、図６を参照して、本実施形態に係る移動通信システムにおける移動局ＵＥの異ＲＡＴ間ハンドオーバ手順の準備ステージのシーケンスを示す。
【手続補正５】
【補正対象書類名】明細書
【補正対象項目名】００４７
【補正方法】変更
【補正の内容】
【００４７】
本実施形態の第１の特徴は、移動局ＵＥが、ＬＴＥ方式の移動通信システム（第１移動通信システム）配下のセルからＷＣＤＭＡ方式の移動通信システム（第２移動通信システム）配下のセルに対して異ＲＡＴ間ハンドオーバ（ハードハンドオーバ）を行うハンドオーバ方法であって、ＬＴＥ方式の移動通信システムの無線基地局ｅＮＢ（第１移動通信システムの無線アクセスネットワーク装置）が、移動局ＵＥに対して提供されるサービスを特定するサービス特定情報（ＱＣＩ及びＡＲＰ）を取得して記憶する工程Ａと、異ＲＡＴ間ハンドオーバを行うための手順において、ＬＴＥ方式の移動通信システムの無線基地局ｅＮＢが、サービス特定情報に基づいて、受信した下りリンクデータの順序入れ替え機能（Ｒｅ-ｏｒｄｅｒｉｎｇ機能）を具備していないＷＣＤＭＡ方式の移動通信システムの無線制御装置ＲＮＣ（第２移動通信システムの無線アクセスネットワーク装置）に対して、上位ノード（ゲートウェイ装置ＰＤＮ-ＧＷ）から受信している下りリンクデータを転送するか否かについて判定する工程Ｂとを有することを要旨とする。
【手続補正６】
【補正対象書類名】明細書
【補正対象項目名】００４８
【補正方法】変更
【補正の内容】
【００４８】
本実施形態の第１の特徴において、工程Ｂにおいて、ＬＴＥ方式の移動通信システムの無線基地局ｅＮＢは、サービス特定情報によって特定されるサービスがＴＣＰを用いたサービスである場合、ＷＣＤＭＡ方式の移動通信システムの無線制御装置ＲＮＣに対して下りリンクデータを転送すると判定し、工程Ｂにおいて、ＬＴＥ方式の移動通信システムの無線基地局ｅＮＢは、サービス特定情報によって特定されるサービスがＵＤＰを用いたサービスである場合、ＷＣＤＭＡ方式の移動通信システムの無線制御装置ＲＮＣに対して下りリンクデータを転送しないと判定してもよい。
【手続補正７】
【補正対象書類名】明細書
【補正対象項目名】００４９
【補正方法】変更
【補正の内容】
【００４９】
本実施形態の第１の特徴において、工程Ａにおいて、ＬＴＥ方式の移動通信システムの無線基地局ｅＮＢは、移動局ＵＥのアタッチ手順においてＬＴＥ方式の移動通信システムの交換局ＭＭＥから送信されるアタッチ受付応答（Ａｔｔａｃｈ  Ａｃｃｅｐｔ）に含まれるサービス特定情報を取得して記憶してもよい。
【手続補正８】
【補正対象書類名】明細書
【補正対象項目名】００５０
【補正方法】変更
【補正の内容】
【００５０】
本実施形態の第１の特徴において、工程Ａにおいて、ＬＴＥ方式の移動通信システムの無線基地局ｅＮＢは、移動局ＵＥがアイドル状態からアクティブ状態に遷移する際の手順においてＬＴＥ方式の移動通信システムの交換局ＭＭＥから送信される初期コンテキスト設定要求（Ｓ１-ＡＰ：Ｉｎｉｔｉａｌ  Ｃｏｎｔｅｘｔ  Ｓｅｔｕｐ  Ｒｅｑｕｅｓｔ）に含まれるサービス特定情報を取得して記憶してもよい。
【手続補正９】
【補正対象書類名】明細書
【補正対象項目名】００５１
【補正方法】変更
【補正の内容】
【００５１】
本実施形態の第１の特徴において、工程Ａにおいて、ＬＴＥ方式の移動通信システムの無線基地局ｅＮＢは、移動局ＵＥのベアラ設定手順においてＬＴＥ方式の移動通信システムの交換局ＭＭＥから送信されるベアラ設定要求（Ｂｅａｒｅｒ  Ｓｅｔｕｐ  Ｒｅｑｕｅｓｔ）に含まれるサービス特定情報を取得して記憶してもよい。
【手続補正１０】
【補正対象書類名】明細書
【補正対象項目名】００５２
【補正方法】変更
【補正の内容】
【００５２】
本実施形態の第１の特徴において、上位ノード（コアネットワーク装置）が、サービス特定情報に対して、サービスタイプ又はユーザ契約識別をマッピングする工程を更に有し、工程Ｂにおいて、ＬＴＥ方式の移動通信システムの無線基地局ｅＮＢは、サービス特定情報にマッピングされているサービスタイプ又はユーザ契約識別に基づいて、上述の判定を行ってもよい。
【手続補正１１】
【補正対象書類名】明細書
【補正対象項目名】００５３
【補正方法】変更
【補正の内容】
【００５３】
本実施形態の第２の特徴は、移動局ＵＥが、ＬＴＥ方式の移動通信システム配下のセルからＷＣＤＭＡ方式の移動通信システム配下のセルに対して異ＲＡＴ間ハンドオーバを行う移動通信システムで用いられるＬＴＥ方式の移動通信システムの無線基地局ｅＮＢであって、移動局ＵＥに対して提供されるサービスを特定するサービス特定情報を取得して記憶するように構成されている取得部１３と、異ＲＡＴ間ハンドオーバを行うための手順において、サービス特定情報に基づいて、受信した下りリンクデータの順序入れ替え機能を具備していないＷＣＤＭＡ方式の移動通信システムの無線制御装置ＲＮＣに対して、上位ノードから受信している下りリンクデータを転送するか否かについて判定するように構成されている判定部１２とを有することを要旨とする。